(57)【要約】 【課題】  ヒンジが切れるのを防止する。【解決手段】  二つの分割体２０と両分割体２０を回動可能に連結する可撓性のヒンジ２５とを備える。ヒンジ２５の撓み動作を伴いながら両分割体２０が開閉可能とされる。ヒンジ２５はその撓み方向と直交する方向に平坦な帯状に形成されている。両分割体２０のうちのいずれか一方には、ヒンジ２５の幅方向両側外方にこのヒンジ２５を挟んで配置されてヒンジ２５の撓み動作を案内する左右一対のガイド片２６が設けられている。ガイド片２６は両分割体２０が閉止状態にあるときにヒンジ２５の幅方向両側面を覆い隠す形態とされる。【選択図】  図４
2006210015.tif 000002
【特許請求の範囲】
【請求項１】
二つの分割体と両分割体を回動可能に連結する可撓性のヒンジとを備え、このヒンジの撓み動作を伴いながら前記両分割体が開閉可能とされ、かつ、前記ヒンジがその撓み方向と直交する方向に平坦な帯状をなすヒンジ構造において、
前記両分割体のうちのいずれか一方には、前記ヒンジの幅方向両側外方にこのヒンジを挟んで配置されて前記ヒンジの撓み動作を案内するガイド片が設けられていることを特徴とするヒンジ構造。
【請求項２】
前記ガイド片は、前記両分割体が閉止状態にあるときに、前記ヒンジの幅方向両側面を覆い隠す形態とされていることを特徴とする請求項１に記載のヒンジ構造。
【発明の詳細な説明】
【技術分野】
【０００１】
本発明は、可撓性のヒンジにより二つの分割体を回動可能に連結する場合に適用可能なヒンジ構造に関する。
【背景技術】
【０００２】
従来、この種のヒンジ構造の一例として、コネクタの電線カバーに適用される場合が知られている（例えば、特許文献１を参照）。このものは、ヒンジが帯状をなしてその幅方向と直交する方向に両分割体が回動可能とされ、両分割体が閉じ合わされたときにコネクタハウジングの後面から導出された電線を包囲するようになっている。
【特許文献１】実開平６−３６２４０号公報
【発明の開示】
【発明が解決しようとする課題】
【０００３】
ところで、両分割体が閉じられる過程で互いの相対位置をずらしてねじるような力が作用すると、ヒンジがねじれ変形して切れるおそれがある。また、上記の場合は、両分割体が閉止状態にあるときに、ヒンジの回曲部分が露出することになるから、そこに側方から異物が引っ掛ってヒンジが損傷する懸念もある。
【０００４】
本発明は上記のような事情に基づいて完成されたものであって、その目的とするところは、ヒンジが切れるのを防止することにある。また、他の目的は、異物からヒンジを保護することにある。
【課題を解決するための手段】
【０００５】
上記の目的を達成するための手段として、請求項１の発明は、二つの分割体と両分割体を回動可能に連結する可撓性のヒンジとを備え、このヒンジの撓み動作を伴いながら前記両分割体が開閉可能とされ、かつ、前記ヒンジがその撓み方向と直交する方向に平坦な帯状をなすヒンジ構造において、前記両分割体のうちのいずれか一方には、前記ヒンジの幅方向両側外方にこのヒンジを挟んで配置されて前記ヒンジの撓み動作を案内するガイド片が設けられている構成としたところに特徴を有する。
【０００６】
請求項２の発明は、請求項１に記載のものにおいて、前記ガイド片は、前記両分割体が閉止状態にあるときに、前記ヒンジの幅方向両側面を覆い隠す形態とされているところに特徴を有する。
【発明の効果】
【０００７】
＜請求項１の発明＞
両分割体が閉じられる過程で互いの相対位置をずらしてねじるような力が作用しても、ヒンジは、ガイド片によって姿勢矯正されるから、ねじり変形して切れる事態を回避できる。
【０００８】
＜請求項２の発明＞
両分割体が閉止状態にあるときに、ガイド片がヒンジの幅方向両側面を覆い隠すようになっているから、ヒンジの回曲部分に異物が引っ掛ることがなく、ヒンジが保護される。
【発明を実施するための最良の形態】
【０００９】
＜実施形態１＞
本発明の実施形態１を図１ないし図６によって説明する。本実施形態は、電線保持部材１０に適用した場合の一例であり、この電線保持部材１０は、コネクタハウジング１１の後面から導出される電線５０を保持してその電線５０の振動や変形を防止する役割を果たす。本発明は、ヒンジ２５及びその周辺構造（以下、ヒンジ構造部Ｈという）について特徴を有するものであるが、まずは全体構造について説明する。
【００１０】
電線保持部材１０は、合成樹脂材により単一部品として形成され、図１に示すように、一対の分割体２０をヒンジ２５で連結した構造とされる。各分割体２０は、軸線を前後方向でかつ互いに平行に向けた左右一対の半円筒部２１と、両半円筒部２１の後端同士を連結する連結板２２とを備える。両半円筒部２１の内周には、周方向に延びる突条部２３が前後方向に複数並ぶように形成されている。両半円筒部２１の内周後端部には、突条部２３に対して段差状に径が大きくなった切欠部２４が形成されている。また、連結板２２には、図５に示すように、前方へ片持ち状に延出した形態であって係止孔２８を有する係止片２９が形成されている。
【００１１】
両分割体２０は、ヒンジ２５を撓ませつつ、合体させることができる。合体した状態では、連結板２２の外面のうち係止片２９とは反対側に位置する突当面同士が面接触状態で当接するとともに、２つの半円筒部２１の合体により、図３に示すように、円筒部３１が形成される。
【００１２】
そして、電線保持部材１０は、コネクタハウジング１１に形成されたキャビティ１２に端子金具６０を挿入したあと分割体２０に組み付けられる。すなわち、コネクタハウジング１１の後端面から後方へ導出されている２本の電線５０に対し、２つの分割体２０を上下に挟むように組み付けるとともに、両分割体２０を合体させる。この合体状態では、突条部２３が絶縁被覆５１に食い込むようになる。
【００１３】
合体した電線保持部材１０を突条部２３と絶縁被覆５１との間の摩擦抵抗に抗して電線５０に沿って前方へスライドさせ、２つの円筒部３１をキャビティ１２の後端部内に嵌入させる。嵌入する過程では、両半円筒部２１の外周面とキャビティ１２の内壁との当接によって、絶縁被覆５１に対する突条部２３の食い込み力を得る。
【００１４】
そして、図５に示すように、連結板２２が分割体２０の後端面に突き当たる位置まで円筒部３１がキャビティ１２内に挿入されると、電線保持部材１０が正規の組付け状態となる。この状態では、電線保持部材１０の係止孔２８がコネクタハウジング１１に設けられた係止突起１３に係止することにより、電線保持部材１０がコネクタハウジング１１に対して後方への離脱を規制された状態でロックされる。このとき、ヒンジ構造部Ｈは、図６に示すように、コネクタハウジング１１の外部に位置する。
【００１５】
次に、ヒンジ構造部Ｈについて説明する。ヒンジ２５は、図４に示すように、分割体２０の回動方向と直交する方向に平坦な帯状をなし、全長に亘って同幅をもって形成されるとともに、長さ方向の両端面を対応する連結板２２の一側面に一体的に接続した構造とされる。両分割体２０が合体して閉止されたときに、ヒンジ２５は略半円弧状に回曲するようになっている。
【００１６】
さて、両分割体２０のうちの一方には、ヒンジ２５の幅方向両側にこのヒンジ２５との間に僅かな間隔をあけた左右一対のガイド片２６が設けられている。各ガイド片２６は、略長方形の平板状をなし、その板厚面のうち長辺側の略下半領域を前記連結板２２の一側面に接続させるとともに、その板厚面のうち長辺側の略上半領域を露出状態で突き出させた形態とされる。各ガイド片２６のうち連結板２２の一側面からその長辺方向に突き出る突出部の突出寸法は、両分割体２０のうちの他方が回動動作中であっても、その他方と非干渉となる寸法に設定されている。また、各ガイド片２６の角部には、両分割体２０のうちの他方との干渉を回避するべくその他方の回動軌跡に沿うように丸みを帯びたカーブ面２６Ａが設けられている。
【００１７】
そして、各ガイド片２６は、連結板２２の一側面に接続された接続位置からヒンジ２５の幅方向両側面に沿って延出する形態とされ、その突出端の位置が非屈曲状態にあるヒンジ２５の長さ方向中央位置に揃うように設定されている。ヒンジ２５は、各ガイド片２６に案内されつつ撓み変形されることになる。
【００１８】
次に、本実施形態に係るヒンジ構造の作用効果について説明する。図２及び図４に示すように、両分割体２０が約１８０度の角度差をもって開放状態にあるときには、ヒンジ２５はその中央部が緩く撓んだ状態となる。この状態から両分割体２０が両者共あるいは両分割体２０のうちのいずれか一方が他方に向けてヒンジ２５を回動中心として閉止方向に回動すると、その回動に伴いヒンジ２５が互いの両端を近づけるように少しずつ屈曲変形する。
【００１９】
回動途中では、ヒンジ２５の両脇に位置する各ガイド片２６によりヒンジ２５の撓み姿勢が正規姿勢に矯正され、ヒンジ２５がその軸周りにねじり変形する事態を回避できる。また、回動途中では、各ガイド片２６の案内により両分割体２０の回動姿勢も正規の回動姿勢となる一方、回動する分割体２０が各ガイド片２６と非干渉な状態を保つ。そして、図３に示すように、両分割体２０が合体して円筒部３１を形成する閉止位置に至ると、ヒンジ２５が全体として略半円弧状に回曲した状態となる。このとき、ヒンジ２５がその幅方向両側面で露出開口しているという事情があっても、かかるヒンジ２５の幅方向両側面をすっぽりと覆い隠して遮蔽する形態で各ガイド片２６が設けられているから、ここに外部から異物が進入して引っ掛る事態を回避できる。したがって、異物の引っ掛りによるヒンジ２５の損傷を防止できる。
【００２０】
以上のように本実施形態によれば、両分割体２０が閉じられる過程で互いの相対位置を幅方向にずらしてねじるような力が作用しても、ヒンジ２５が各ガイド片２６により案内されつつ撓み変形するから、ねじり変形して切れる事態を回避できる。
また、両分割体２０が閉止状態にあるときに、各ガイド片２６がヒンジ２５の幅方向両側面を覆い隠すようになっているから、ヒンジ２５が保護される。
【００２１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２２】
（１）上記実施形態では、両分割体が互いに同形同大で設けられていたが、本発明においては、両分割体の一方が蓋として構成され、他方が被覆蓋体として構成されても構わない。
【００２３】
（２）上記実施形態では、ヒンジ構造を電線保持部材に適用した場合を例示したが、本発明においては、ヒンジ構造をハウジングの電線導出面から導出される電線群を包囲する電線カバーやバッテリー端子の保護カバーに適用してもよい。要は、帯状の樹脂ヒンジを有する物品に広く適用することができる。
【図面の簡単な説明】
【００２４】
【図１】本発明の実施形態１において分割体が合体する前の状態の平面図
【図２】分割体が合体する前の状態の正面図
【図３】分割体が合体した状態の正面図
【図４】ヒンジ構造部の斜視図
【図５】電線保持部材をコネクタハウジングに嵌入した状態の断面図
【図６】電線保持部材をコネクタハウジングに嵌入した状態の背面図
【符号の説明】
【００２５】
Ｈ…ヒンジ構造部
２０…分割体
２２…連結板
２５…ヒンジ
２６…ガイド片
【図１】
2006210015.tif 000003
【図２】
2006210015.tif 000004
【図３】
2006210015.tif 000005
【図４】
2006210015.tif 000006
【図５】
2006210015.tif 000007
【図６】
2006210015.tif 000008